(57)【要約】【課題】弁体を押動するようにした従来の外用液剤塗布容器では、弁体で注出口を密閉することが困難で、液剤が密閉保持されず、変質したり、揮発するおそれがあり、また、使用時に液剤が不用意に漏出するおそれがあったという点の解決を課題とする。【解決手段】突出方向に付勢された弁体３の先端を患部などの塗布面に押し当てることにより、容器内に収容された液剤を直接、この塗布面に塗布するようにした外用液剤塗布容器において、容器の口部に取り付けられた中栓２の内周に、先細のテーパ状に傾斜したシール部２ｂを設けると共に、弁体３の外周に、このシール部２ｂと当接する傾斜鍔状の弁部３ｅを設けた。そして、この弁部３ｅの表面が一つの仮想球体５の表面を構成するように、所定の一点を中心とした半径で外方膨出状に湾曲させることとした。【選択図】図３
2006020674.tif 000002
【特許請求の範囲】
【請求項１】
液剤が収容された容器と、該容器の口部に一体的に取り付けられた先細筒形の中栓と、中栓内に外方突出方向に付勢して設けられた弁体と、容器の口部を被嵌するように取り付けられるキャップとからなり、弁体の先端を塗布面に押し当てることにより、液剤を塗布面に直接塗布するようにした外用液剤塗布容器において、
中栓の内周に、テーパ状に傾斜したシール部が注出口に連続するように設けられると共に、弁体の外周には、このシール部と当接する鍔状の弁部が設けられ、かつ、該弁部は、その表面が上記注出口の内径よりも大きな直径を有する一つの仮想球体の表面を構成するように、所定の曲率で外方膨出状に湾曲形成されており、閉栓時に上記シール部の表面が常に弁部の表面に対して接線方向に接するようになされたことを特徴とする外用液剤塗布容器。
【発明の詳細な説明】
【技術分野】
【０００１】
本発明は、容器の口部に出没可能に弁体が設けられ、この弁体の先端を患部などの被塗布面に押し当てることにより、容器内に収容された医薬品や化粧品などの液剤を直接、塗布できるようにした外用液剤塗布容器に関する。
【背景技術】
【０００２】
このような液剤を収容する容器としては、従来から種々のものがあるが、例えば水虫薬容器の場合、一般に水虫は、指の間などの狭い箇所で発症するため、このような箇所への使用に適し、また衛生上の観点から患部に手を触れず、液剤を直接、患部に塗布できるようにした容器が好まれている。
【０００３】
このように直接、患部に液剤を塗布できるようにした代表的なものとしては、容器の注出口を先細り状として、この注出口部分が狭い箇所に容易に挿入できるようにし、容器本体の胴部を押圧して弾性変形させ、この弾性変形によって容器内から液剤を注出して患部に塗布できるようにしたものがある。しかしながら、このように容器を弾性変形させて液剤を押し出すようにしたものは、注出される液剤の量の調節が困難であり、取扱性が悪いという問題点があった。
【０００４】
この点を改善した従来のものとしては、容器の口部に注出口を備えた中栓を取り付け、この中栓内にバネ性を有する弁体を、その先端の凸部が注出口に挿入されるようにして設け、常時は、この弁体で注出口を塞いでおき、使用時には、凸部の先端を患部に押し付けることにより、弁体を押し込み、注出口との間に隙間を生じさせて、ここから液剤を漏出させるようにしたものがあった。（例えば、特許文献１参照）。
【０００５】
なお、この容器では、凸部の下方に鍔状に傾斜面を設け、この傾斜面を注出口の下端周囲に設けられた弁シート部に圧接させることにより、注出口を密閉するようにしていた。
【０００６】
また、この他に注出口に出没可能に取り付けられる弁体の密閉度を向上させたものとして、注出口の後端後方に形成される座部と、この座部に当接する弁部のいずれか一方を、その縦断面稜線が曲線となるように形成し、弁部と座部を円周線で接触させることにより、閉栓時に隙間が生じないようにしたものもあった。（例えば、特許文献２参照）。
【特許文献１】実公昭５９−３３４１２号公報（第２頁、第１図）
【特許文献２】実公平６−１８６１４号公報（第２頁、第２図）
【発明の開示】
【発明が解決しようとする課題】
【０００７】
上述した従来の液剤塗布容器のうち、前者の特許文献１に例示されるように、注出口を備えた中栓にバネ性を有する弁体を収納し、この弁体で注出口を塞ぐようにしたものは、凸部の下端周囲に設けられた鍔状の傾斜面を、注出口の下端周囲に形成された弁シート部と圧接させ、注出口を密閉するようにしていたので、閉栓時に弁体の傾斜面が周囲の弁シート部と均一に接触せず、隙間を生じるおそれがあった。そのため、容器に収容された液剤が気密に保持されず、揮発したり、常時空気に触れて変質したりするおそれがあると共に、使用時に液剤が不用意に漏出するおそれもあるという問題点を有していた。
【０００８】
また、後者のように座部と弁部のいずれかをその断面が曲線状となるように湾曲させ、両者を円周線で接触させるようにしたものは、上述した面で接触するものに比し、ある程度の密閉効果の向上は認められるものの両者の中心線がずれていると、周方向の何れかの箇所に隙間が生じ、これも上記のものと同様に、液剤が揮発したり、変質するおそれがあると共に、使用時に液剤が不用意に漏出するおそれがあるという問題点を有していた。
【０００９】
また、この点を改善するためにバネの付勢力を強くすると、弁体の開放に力を要することとなり、使用時に凸部の先端を患部などに強く押し付けなくてはならず、水虫薬容器などの場合、使用に痛みを伴って取扱性が損なわれたり、患部が刺激され、治癒が遅れるという新たな問題を生じた。
【００１０】
本発明は、上述した従来の液剤の塗布容器が有していた問題点の解決を課題とする。
【課題を解決するための手段】
【００１１】
上記の問題点を解決するために、本発明は、液剤が収容された容器と、該容器の口部に一体的に取り付けられた先細筒形の中栓と、中栓内に外方突出方向に付勢して設けられた弁体と、容器の口部を被嵌するように取り付けられるキャップとからなり、弁体の先端を塗布面に押し当てることにより、液剤を塗布面に直接塗布するようにした外用液剤塗布容器において、上記中栓の内周に、テーパ状に傾斜したシール部を注出口に連続するように設けると共に、弁体の外周に、このシール部と当接する鍔状の弁部を設けた。そして、この弁部をその表面が一つの球体の表面を構成するように、所定の曲率で外方膨出状に湾曲させ、閉栓時に上記シール部の表面が、湾曲した弁部表面の接線方向に接するようにしたことを特徴とする。
【発明の効果】
【００１２】
本発明の外用液剤塗布容器では、中栓の内周に設けられたテーパ状のシール部と当接する弁体の弁部を、その表面が球体の表面を構成するように、所定の曲率で外方膨出状に湾曲させているので、中栓と弁体の中心軸がずれていたり、両者が正確に正対していなくてもテーパ状のシール部の内側に球体が嵌まり込むように、シール部の内周面に弁部の表面が隙間無く接触することとなる。よって、容器口部の閉栓が確実となり、液剤が安全に密閉保持されると共に、使用時の液剤の不用意な漏出も防止され、取扱性の向上も図られるという効果がある。
【００１３】
また、このようにシール性が高いので、弁体を押し付けるバネの付勢力を強くする必要はなく、容易に弁体の先端を出没駆動することができる。よって、その取扱性が損なわれるおそれはない。
【発明を実施するための最良の形態】
【００１４】
以下、本発明を図示した実施の形態に基づき詳細に説明する。
【００１５】
図１は、本発明に係る外用液剤塗布容器（ここでは水虫薬塗布容器を例示）の一部縦断側面図、図２は、その要部の拡大図である。図示したように、この外用液剤塗布容器は、水虫薬などの液剤（図示せず）が収容された容器１と、この容器の口部１ａに一体的に取り付けられた先細略円筒形の中栓２と、この中栓２内に外方突出方向に付勢して設けられた弁体３と、上記容器の口部１ａを被嵌するように取り付けられるキャップ４とで構成されている。
【００１６】
上記弁体３は、図４に示したように、周囲に突条３ｂが設けられた環状の組付リング３ａと、該組付リング３ａ上に螺旋状に設けられた複数のバネ片３ｃと、該バネ片３ｃの上端に、このバネ片３ｃで支持されるように設けられた縦方向に長い突軸３ｄと、突軸３ｄの下端に下向きに傾斜した鍔状に設けられた弁部３ｅとからなり、可撓性を有する合成樹脂で一体成形されている。
【００１７】
なお、上記突軸３ｄの周囲には、図５の拡大断面図に示すように、液剤の滴下案内用の複数の縦溝３ｆが設けられている。
【００１８】
中栓２は、下端の内径が上記組付リング３ａの外径とほぼ等しく、かつ、上端の注出口２ｃの内径が上記突軸３ｄの外径とほぼ等しい寸法の先細円筒形のものであり、その内側の所定位置には、上方に向かって漸縮したテーパ状のシール部２ｂが設けられている。また、この中栓２の下端内周には、上記組付リング３ａの突条３ｂを抜け止め係止する係止部２ａが設けられ、外側の周囲には、容器の口部１ａの上端に当接してこの中栓２を位置決めするための鍔部２ｄが設けられている。
【００１９】
上記中栓２は、その下側を容器の口部１ａ内に挿入することにより、鍔部２ｄが容器の口部１ａの上端に当接して位置決めされ、この口部１ａに一体的に嵌入組付けされるようになっている。また、その内部には、下側から弁体２を挿入することにより、下端内周に設けられた係止部２ａで組付リング３ａを抜け止め係止し、この弁体３を脱落不可に保持するようになっている。このとき、弁体３のバネ片３ｃは、圧縮された状態で保持され、弁部３ｅは、このバネ片３ｃの付勢力を受けて中栓２のシール部２ｂに圧接され、このことで注出口２ｃが塞がれるようになっている。なお、このとき突軸３ｄは、その先端が中栓２の注出口２ｃから上方に突出している。
【００２０】
ここにおいて、本発明の外用液剤塗布容器では、シール部２ｂに接する弁部３ｅの表面が、図３に示したように外方に膨らんだ形状に形成されている。そして、この外方に膨らんだ箇所の表面の曲率は、一つの球体の表面の曲率と等しくなっている。つまり、突軸３ｄの下端周囲に環状に設けられた弁部３ｅの表面は、いずれの箇所も弁体３の中心軸線上に位置した特定の一点から等しい距離にあり、この距離を半径とした仮想球体５の表面の一部を構成するようになっている。したがって、この弁部３ｅはテーパ状のシール部２ｂに押し付けられた際、円錐体や単に表面を膨らませただけのもののように、周方向の何れかの箇所で隙間が生じるということはなく、ボール弁のように、その表面がテーパ状のシール部２ｂの全周方向にわたって密着することとなる。よって、中栓２の注出口２ｃの閉栓が確実となり、容器１内に収容された液剤（図示せず）が気密に密閉されることとなり、液剤の揮発や変質が防止されると共に、不用意な液剤の漏出事故も確実に防止されるものである。
【００２１】
なお、上記のように機能することから、言うまでもないが、弁部３ｅの表面を構成した仮想球体５の直径は、中栓２に設けられた注出口２ｃの内径よりも大きく設定されている。
【００２２】
図６は、上記の閉栓状態における弁部３ｅとシール部２ｂの接触部分に作用する力を示した説明図である。図示したように、弁部３ｅが接触したシール部２ｂの表面には、弁体３を上方に押し上げるバネ片３ｃの付勢力Ｐが作用し、この上方に押し上げる力Ｐは、シール部２ｂの表面に垂直な方向の力Ａと、シール部２ｂの表面に沿った水平な方向の力Ｂとに分解される。このシール部２ｂの表面を垂直に押し付ける力Ａは、間隙を塞いで密閉状態を維持するように作用し、シール部２ｂの表面に沿った力Ｂは、弁体３を中栓２の中心に導き、弁部３ｅの外周を均一にシール部２ｂの内周に密着させるように作用する。よって、図７に示すようにシール部２ｂの傾斜を垂直に近く、即ち、弁部３ｅを構成した仮想球体５の直径を小さくした場合には、密閉力として作用するシール部２ｂに垂直な力Ａよりも、摩擦力として作用するシール部２ｂの表面に沿った水平な力Ｂの方が大きくなる。よって、弁体３は中栓２の中心方向に、より確実に案内されることとなり、安定した閉栓状態をはかることができる。
【００２３】
また、これとは反対に、図８に示すようにシール部２ｂの傾斜を水平に近く、即ち、弁部３ｅを構成した仮想球体５の直径を大きくした場合には、密閉力として作用するシール部２ｂに垂直な方向の力Ａが、摩擦力として作用するシール部２ｂの表面に沿った水平な方向の力Ｂよりも大きくなる。よって、弁部３ｅはシール部２ｂの表面に強く押付けられることとなり、高い密閉効果が得られる。
【００２４】
以上のように本発明の液剤塗布容器では、弁体３の弁部３ｅの径の大小にかかわらず、シール面２ｂは、常に弁部３ｅの接線方向に接するようになっている。したがって、注出口２ｃや口部１ａの径がどのような容器１であっても、上記の関係を保つように対応させることができ、円滑な操作性と確実な密閉効果が得られる。
【００２５】
そして、上記構成を有する本発明の外用液剤塗布容器の使用法は、従来のものと何ら変わることなく、キャップ４を外した状態で、突軸３ｄが下側になるように容器１を逆さまにし、突軸３ｄの先端を患部などの塗布面（図示せず）に押し当て、バネ片３ｃで突出方向に付勢された突軸３ｄを、このバネ片３ｃの付勢力に抗して没入するように押し込めば良く、このことで弁体３の弁部３ｅがシール部２ｂから離れ、隙間を生じ、ここから漏出した液剤が突軸３ｄの縦溝３ｆを伝って塗布面へと導かれる。このようにして塗布面に突軸３ｄの先端を押し付ける動作を繰り返すことにより、塗布面への液剤の塗布がなされるものである。そして、突軸３ｄの先端を塗布面に押し付ける動作を止めると、バネ片３ｃの弾性復元力により突出方向に付勢された突軸３ｄは、その先端が中栓２の注出口２ｃから突出した元の状態に押し出され、同時にこの突軸３ｄの下端周囲に設けられた弁部３ｅが、中栓２内周のシール部２ｂに圧接され、この中栓２の注出口２ｃが密閉されるようになっている。
【００２６】
以上のようにして、本発明の外用液剤塗布容器は、従来のものとなんら変わることなく使用されるものである。
【００２７】
なお、上記の実施の形態では、外用薬塗布容器として水虫薬用のものを例示したが、本発明の外用液剤塗布容器は、容器１の口部１ａに、先端が出没するように設けられた弁体３を押動操作することにより、容器１内に収容された液剤を取り出し、直接、患部などに塗布できるようになっていれば良く、収容される液剤は、液状あるいはゲル状の流動性を有するものであれば、どのようなものであっても良い。例えば、経皮的に用いられる外用薬や、あるいは乳液や化粧品のようなものの使用が考えられる。
【００２８】
なお、また上記では説明を省略したが、シール面２ｂが注出口２ｃと連続した箇所には、開栓時に容器１内の液剤が円滑に注出口２ｃに導かれるように、角を落とす形で緩いアールを設け、曲線的に連続するようにしている。
【図面の簡単な説明】
【００２９】
【図１】本発明に係る外用液剤塗布容器の一例を示した一部縦断側面図である。
【図２】図１の要部拡大図である。
【図３】図２におけるＡ部の拡大図である。
【図４】弁体の半縦断面図である。
【図５】図４におけるＢ−Ｂ線の拡大断面図である。
【図６】閉栓時にシール部の表面に作用する力を示した説明図である。
【図７】同上、弁部が小径の場合の説明図である。
【図８】同上、弁部が大径の場合の説明図である。
【符号の説明】
【００３０】
１  容器
１ａ  容器の口部
２  中栓
２ａ  係止部
２ｂ  シール部
２ｃ  注出口
３  弁体
３ａ  組付リング
３ｂ  突条
３ｃ  バネ片
３ｄ  突軸
３ｅ  弁部
３ｆ  縦溝
４  キャップ
５  仮想球体
【図１】
2006020674.tif 000003
【図２】
2006020674.tif 000004
【図３】
2006020674.tif 000005
【図４】
2006020674.tif 000006
【図５】
2006020674.tif 000007
【図６】
2006020674.tif 000008
【図７】
2006020674.tif 000009
【図８】
2006020674.tif 000010